(57)【要約】【課題】  部品点数を減少しても高さが異なる化粧プレートに対応できるようにする。【解決手段】  第１取付枠耳部１２および第２取付枠耳部１３における位置が前後にずれていると共に左右にもずれて形成されている第１挿入片１２ｄと第２挿入片１２ｅとの組からなる挿入片を有している。シールドケース１０の挿入孔２０ａに２組の挿入片を挿入して固着する。そして、固着される際に、第１挿入片１２ｄと第２挿入片１２ｅとの間に挿入孔２０ａの前壁が挟持されるよう挿入孔２０ａに挿入して固着すると、直列ユニット１の前面側の突出量を低くすることができる。【選択図】  図７
2015080304.tif 000002
【特許請求の範囲】
【請求項１】
前面に出力端子を備え、後部に入力端子を備えるシールドケースと、
該シールドケースの上面の両側に設けられた挿入孔に２組の挿入片をそれぞれ挿入することにより取り外し自在に固着される第１取付枠耳部と、
該第１取付枠耳部と同じ構成とされ、前記シールドケースの下部の両側に設けられた挿入孔に２組の挿入片をそれぞれ挿入することにより取り外し自在に固着される第２取付枠耳部とを備え、
前記第１取付枠耳部および前記第２取付枠耳部は、取付用の穴が形成されている耳部本体と、位置が前後にずれていると共に左右にもずれて形成されている第１挿入片と第２挿入片とが組とされる前記２組の挿入片とを有し、前記シールドケースに固着される際に、前記２組の挿入片が、前記シールドケースの前記挿入孔に挿入されて固着することができると共に、組とされた前記第１挿入片と前記第２挿入片との間に前記挿入孔の前壁が挟持されるよう前記挿入孔に挿入されて固着することができるようにされていることを特徴とする直列ユニット。
【請求項２】
前面に取り付けられる化粧プレートの高さが高い場合に、前記２組の挿入片が、前記シールドケースの前記挿入孔に挿入されて、前記第１取付枠耳部および前記第２取付枠耳部が前記シールドケースに固着され、前面に取り付けられる化粧プレートの高さが低い場合に、組とされた前記第１挿入片と前記第２挿入片との間に前記挿入孔の前壁が挟持されるよう前記挿入孔に挿入されて、前記第１取付枠耳部および前記第２取付枠耳部が前記シールドケースに固着されることを特徴とする請求項１記載の直列ユニット。
【請求項３】
前記第２挿入片は前記第１挿入片より前面側に形成されており、前記シールドケースに形成されている前記挿入孔の前記前壁には、前記シールドケースの前記挿入孔に挿入される際に、前記第２挿入片に形成された突出部が摺動される摺動溝が形成されていることを特徴とする請求項１または２に記載の直列ユニット。
【請求項４】
前記第２挿入片は前記第１挿入片より前面側に形成されており、前記シールドケースに形成されている前記挿入孔の前記前壁には、前記シールドケースの前記挿入孔に挿入された際に、前記第２挿入片の先端に形成された膨出部が係合される係合孔が形成されていることを特徴とする請求項１ないし３のいずれかに記載の直列ユニット。
【発明の詳細な説明】
【技術分野】
【０００１】
本発明は、屋内の壁面等に設置され屋内のテレビ受信機等に受信信号を供給する直列ユニットに関する。
【背景技術】
【０００２】
直列ユニットは、一般に屋内の壁面に埋め込まれた箱状のボックスに取り付けて使用する。直列ユニットには、屋内のテレビ受信機等と同軸ケーブルで接続するための出力用の同軸端子と、壁の内部空間に配置されたアンテナ等の受信信号を導く同軸ケーブルが接続される入力用の同軸端子を備えている。
従来の直列ユニットの構成の一例を図３０ないし図３２に示す。図３０は従来の直列ユニット１００の構成を示す正面図であり、図３１は従来の直列ユニット１００の構成を分解して示す側面図であり、図３２は従来の直列ユニット１００の構成を示す側面図である。
【０００３】
従来の直列ユニット１００は図３１に示すように、シールドケース１１１と端子台１１２と専用枠１１０とから構成される。シールドケース１１１は金属製とされ後部に入力端子１１５が設けられ、前面に第１出力端子１１３と第２出力端子１１４とが設けられている。入力端子１１５には受信信号を導く同軸ケーブルが接続され、シールドケース１１１内に収納された分配回路により受信信号が分配されて第１出力端子１１３と第２出力端子１１４とから出力される。第１出力端子１１３あるいは第２出力端子１１４に接続された同軸ケーブルをテレビ受信機等に接続することにより、テレビ受信機等で受信信号を受信することができる。また、シールドケース１１１の前面における両側に、細長い矩形状の穴が形成されている係合部１１１ａが立設されて上下に１つずつ形成されている。さらに、専用枠取付爪片１１１ｂが１つずつ先端に形成されている延伸部１１１ｃがシールドケース１１１の両側面の上下に形成されている。
【０００４】
シールドケース１１１の前面を覆うように樹脂製とされた端子台１１２が嵌合される。端子台１１２には、先端部に段部が形成されて厚みが厚くされ、この段部から先端に向かって厚みが薄くなるテーパ部が形成された係合片１１２ｂが、両側面の上下に１つづつ形成されている。また、端子台１１２には第１出力端子１１３と第２出力端子１１４とが挿通可能な２つの円筒部１１２ｃが、後方へ突出するよう上下に形成されている。シールドケース１１１の前面を覆うように端子台１１２を嵌合すると、端子台１１２の両側面に形成された係合片１１２ｂの先端部が、それぞれシールドケース１１１に形成された係合部１１１ａに係合すると共に、円筒部１１２ｃ内に第１出力端子１１３と第２出力端子１１４とが挿入されるようになる。これにより、シールドケース１１１の前面に端子台１１２が一体となるように嵌合される。
【０００５】
専用枠１１０は樹脂製とされ、中央部には端子台１１２が嵌入可能な矩形の開口が形成されている。また、専用枠１１０の上下には長孔とされた挿通孔１１０ｂが形成され、一対のネジ取付孔１１０ｃが挿通孔１１０ｂより外側に形成されている。さらに、専用枠１１０の両側面には爪片取付部１１０ｄが３つずつ形成されている。専用枠１１０には、端子台１１２が一体に嵌合されたシールドケース１１１が嵌合される。専用枠１１０に端子台１１２が嵌合されたシールドケース１１１が嵌合される際に、シールドケース１１１の４つの延伸部１１１ｃの先端に形成されている専用枠取付爪片１１１ｂが、専用枠１１０の両側に設けられた爪片取付部１１０ｄにそれぞれ係合されて、シールドケース１１１に一体に専用枠１１０が嵌合される。
これにより、図３０および図３２に示すように専用枠１１０、端子台１１２、シールドケース１１１とが一体とされた直列ユニット１００が構成される。この直列ユニット１００の専用枠１１０の後面から端子台１１２の前面までの高さはｔ１とされる。高さｔ１は、例えば約８ｍｍとされる。
【０００６】
直列ユニット１００を屋内の壁部１２０に取り付けた態様の構成を断面図とされた側面図で図３３に示し、その正面図を図３４に示す。これらの図に示すように、壁部１２０には矩形の取付開口１２１が設けられている。この取付開口１２１の縦方向の寸法は専用枠１１０の２つの挿通孔１１０ｂ間の寸法とほぼ同様とされ、横方向の寸法は専用枠の横幅の寸法より大きくされている。そして、直列ユニット１００を取付開口１２１に臨ませ、直列ユニット１００の専用枠１１０の上下に形成された一対のネジ取付孔１１０ｃに木ネジをそれぞれ挿通して取付開口１２１の上下の壁部１２０にねじ込む。これにより、直列ユニット１００が壁部１２０に固着される。この直列ユニット１００の専用枠１１０の前面には、図３３に示すように直列ユニット１００の前面を閉塞する化粧プレート１１６が取り付けられる。化粧プレート１１６は、プレート枠１１７とセットになっており、プレート枠１１７の上下に設けられた図示していない穴に挿通されたビスを、直列ユニット１００の専用枠１１０における一対のネジ取付孔１１０ｃの間に形成されているネジ孔に螺着することにより、プレート枠１１７が直列ユニット１００の前面に固着される。このプレート枠１１７に化粧プレート１１６が嵌合される。この場合、図示しない係合手段により化粧プレート１１６がプレート枠１１７に取り外し自在に固着される。この時、壁部１２０の前面から化粧プレート１１６の前面までの高さはｔ２となり、高さｔ２は高さｔ１とほぼ同様とされることから、図３３に示すように、化粧プレート１１６の前面と端子台１１２の前面とはほぼ同じ高さとなり、見映えを良好とすることができる。なお、図３４においてはプレート枠１１７を省略して示している。
また、化粧プレート１１６により直列ユニット１００の前面が閉塞されることにより、直列ユニット１００に塵埃や水分などが侵入することを防止することができる。なお、壁部１２０の内側に箱状のボックスを取付開口１２１の位置に合わせて埋め込むよう設置しておくことで、直列ユニット１００をボックスに収納することができる。
【０００７】
ところで、化粧プレートには種類の異なる化粧プレートがあり、種類の異なる化粧プレートでは壁部１２０の前面から化粧プレートの前面までの高さがｔ２と異なる高さｔ３とされたものがある。例えば、高さｔ２は約８ｍｍされ、高さｔ３は約１０ｍｍとされる。高さｔ３とされた化粧プレート１１６’を直列ユニット１００に取り付けた態様を示す構成を断面図とされた側面図で図３５に示す。直列ユニット１００を取付開口１２１に取り付ける説明は上記した通りであるので省略する。化粧プレート１１６’は、プレート枠１１７とセットになっており、プレート枠１１７は上記したとおり直列ユニット１００の前面に固着されている。このプレート枠１１０に図示しない係合手段により化粧プレート１１６’が取り外し自在に嵌合される。この場合、壁部１２０の前面から化粧プレート１１６’の前面までの高さｔ３が高さｔ２より高くなっていることから、図３５に示すように、化粧プレート１１６’の前面より端子台１１２の前面が高さｔ４（約２ｍｍ）だけ陥没するようになり、見映えが悪くなってしまうようになる。
【先行技術文献】
【特許文献】
【０００８】
【特許文献１】特開２００５−３８７４５号公報
【特許文献２】実用新案登録第３０９９５４５号公報
【発明の概要】
【発明が解決しようとする課題】
【０００９】
高さが異なる化粧プレートを取り付けても見映えを良好にできる従来の他の直列ユニットが知られている。この従来の他の直列ユニット２００の構成を分解して示す正面図を図３６に示す。図３６に示すように、従来の他の直列ユニット２００は、シールドケース２１０の上部に第１取付枠耳部２１２が取り外し自在に固着されると共に、シールドケース２１０の下部に第２取付枠耳部２１３が取り外し自在に固着される。ここで、各部の構成を説明するが、シールドケース２１０の構成を示す正面図は図３６に示されており、図３８（ａ）にシールドケース２１０の構成を示す背面図を示し、図３８（ｂ）にシールドケース２１０の構成を示す上面図を示す。
【００１０】
これらの図に示すように、金属製のシールドケース２１０は、後部に入力端子２１６が設けられ、前面に第１出力端子２１４と第２出力端子２１５とが設けられている。入力端子２１６には受信信号を導く同軸ケーブルが接続され、シールドケース２１０内に収納された分配回路により受信信号が分配されて第１出力端子２１４と第２出力端子２１５とから出力される。第１出力端子２１４あるいは第２出力端子２１５に接続された同軸ケーブルをテレビ受信機等に接続することにより、テレビ受信機等で受信信号を受信することができる。また、シールドケース２１０の前面の両側に、細長い矩形状の穴が形成されたコ字状の係合部２１０ｃが上下に１つずつ縦方向に立設されて形成されている。さらに、専用枠取付爪片２１０ｂが２つずつ先端に形成されている延伸部がシールドケース２１０の両側面の上下に形成されている。シールドケース２１０において特徴的な構成は、図３８（ａ）（ｂ）に示すように断面が矩形状の所定深さの挿入孔２１０ａが、上面の前部の両側にそれぞれ形成されていると共に、下面の前部の両側にそれぞれ形成されている構成とされている。上面に形成された一対の挿入孔２１０ａには第１取付枠耳部２１２の第２挿入片２１２ｄが嵌合された第１挿入片２１２ｃが挿入可能とされ、下面に形成された一対の挿入孔２１０ａには第２取付枠耳部２１３の第２挿入片２１３ｄが嵌合された第１挿入片２１３ｃが挿入可能とされている。
【００１１】
第１取付枠耳部２１２と第２取付枠耳部２１３の構成を示す正面図は図３６に示されており、第１取付枠耳部２１２と第２取付枠耳部２１３とは同様の構成とされていることから、図３７に第１取付枠耳部２１２の構成を示す側面図を代表して示している。また、第１取付枠耳部２１２は第２挿入片２１２ｄと組み合わされており、第２取付枠耳部２１３は第２挿入片２１３ｄと組み合わされており、図３９（ａ）に第１取付枠耳部２１２の単体の構成を示す正面図を示し、図３９（ｂ）に第１取付枠耳部２１２の単体の構成を示す側面図を示す。さらに、第２挿入片２１２ｄと第２挿入片２１３ｄとは同様の構成とされていることから、図４０（ａ）に第２挿入片２１２ｄの構成を示す正面図を代表として示し、図４０（ｂ）に第２挿入片２１２ｄの構成を示す側面図を代表として示す。
【００１２】
樹脂製とされた第１取付枠耳部２１２は、図３６，図３７，図３９に示すように、耳部本体部２１２ａと、耳部本体部２１２ａから下方へ突出して形成された第１挿入片２１２ｃとから構成されている。耳部本体部２１２ａのほぼ中央には長孔とされた挿通孔２１２ｂが形成され、一対のネジ取付孔２１２ｇが挿通孔２１２ｂより上側に形成されている。第１挿入片２１２ｃは、耳部本体部２１２ａの下面の両側からそれぞれ下方へ突出する２本の足を備えており、それぞれの足の縦方向にスリット２１２ｅが形成されることにより、先端に係止爪が形成されている係止片２１２ｆが形成されている。それぞれの足のスリット２１２ｅの上方には第２挿入片２１２ｄを嵌合するための円形の係合孔２１２ｈが形成されている。また、２本の足の対向面の上部が切り欠かれて、第２挿入片２１２ｄの後述する突出部２１２ｋが嵌合できるようにされている。なお、２つの係止片２１２ｆは第１取付枠耳部２１２の両側に位置するように配置されている。
【００１３】
第２挿入片２１２ｄは図４０に示すように、所定の厚みを有する樹脂製とされ、２本の足部と、足部の上部を接続する接続部とからなり、コ字状の形状とされている。２本の足部の上部には断面が円形の嵌合突起２１２ｊが形成され、接続部から２本の足部の上部の内側にわたり前方へ突出するコ字状の突出部２１２ｋが形成されている。
第２挿入片２１２ｄは、第１取付枠耳部２１２における第１挿入片２１２ｃの前面に嵌合できると共に、裏返して後面にも嵌合することができる。第１挿入片２１２ｃの後面に第２挿入片２１２ｄを嵌合した態様が図３７に示されている。
【００１４】
図３７に示すように第１挿入片２１２ｃの後面に第２挿入片２１２ｄを嵌合した第１取付枠耳部２１２を、シールドケース２１０の上部に設けられた一対の挿入孔２１０ａに挿入して取り付け、第１挿入片２１３ｃの後面に第２挿入片２１３ｄを嵌合した第２取付枠耳部２１３を、シールドケース２１０の下部に設けられた一対の挿入孔２１０ａに挿入して取り付ける。このようにして組み立てた従来の他の直列ユニット２００を、壁部２２０に取り付けた態様の構成を側面図で図４１に示す。図４１においては、壁部２２０の下側だけを示し、図の上部において第１取付枠耳部２１２を挿入孔２１０ａに挿入する中途の状態を示している。この図に示すように、壁部２２０には矩形の取付開口が設けられている。従来の他の直列ユニット２００を取付開口に臨ませ、この直列ユニット２００の第１取付枠耳部２１２の一対のネジ取付孔２１２ｇおよび第２取付枠耳部２１３の一対のネジ取付孔２１３ｇに木ネジをそれぞれ挿通して取付開口の上下の壁部２２０にねじ込む。これにより、従来の他の直列ユニット２００が壁部２２０に固着される。この直列ユニット２００のシールドケース２１０の前面には樹脂製の端子台２１０ｃが嵌合される。シールドケース２１０に端子台２１１が嵌合される際に、端子台２１１の両側の上下にそれぞれ設けられた合計４つの係合片が、シールドケース２１０の両側に設けられた係合部２１０ｃにそれぞれ係合されて、シールドケース２１０に一体に端子台２１１が嵌合される。
【００１５】
第１取付枠耳部２１２および第２取付枠耳部２１３とを備えるシールドケース２１０の前面には、従来の他の直列ユニット２００の前面を閉塞する化粧プレート２１６が取り付けられる。化粧プレート２１６は、プレート枠２１７とセットになっており、プレート枠２１７の上下に設けられた図示していない穴に挿通されたビスを、第１取付枠耳部２１２および第２取付枠耳部２１３における一対のネジ取付孔２１２ｇ，２１３ｇの間に形成されているネジ孔に螺着することにより、プレート枠２１７が直列ユニット２００の前面に固着される。図４１においては、化粧プレート２１６およびプレート枠２１７の下側だけを破線で示している。このプレート枠２１７に化粧プレート２１６が嵌合される。この場合、図示しない係合手段により化粧プレート２１６がプレート枠２１７に取り外し自在に固着される。この時、壁部２２０の前面から化粧プレート２１６の前面までの高さはｔ５となる。高さｔ５は、前述した高さｔ２とほぼ同様とされる。これにより、図４１に示すように、化粧プレート２１６の前面と端子台２１１の前面とはほぼ同じ高さとなり、見映えを良好とすることができる。
【００１６】
次に、第１挿入片２１２ｃの前面に第２挿入片２１２ｄを嵌合した第１取付枠耳部２１２を、シールドケース２１０の上部に設けられた一対の挿入孔２１０ａに挿入して取り付け、第１挿入片２１３ｃの前面に第２挿入片２１３ｄを嵌合した第２取付枠耳部２１３を、シールドケース２１０の下部に設けられた一対の挿入孔２１０ａに挿入して取り付ける。このようにして組み立てた従来の他の直列ユニット２００を、壁部２２０に取り付けた態様の構成を側面図で図４２に示す。図４２においては、壁部２２０の下側だけを示し、図の上部において第１取付枠耳部２１２を挿入孔２１０ａに挿入する中途の状態を示している。従来の他の直列ユニット２００を取付開口に取り付ける説明および端子台２１１をシールドケース２１０に取り付ける説明は上記した通りであるので省略する。
図４２においては、従来の他の直列ユニット２００の前面に取り付けられたプレート枠２１７および種類の異なる化粧プレート２１６’の下側だけを破線で示している。このプレート枠２１７に化粧プレート２１６’が取り外し自在に固着される。この時、化粧プレート２１６’の高さが高くされており壁部２２０の前面から化粧プレート２１６’の前面までの高さはｔ６となる。高さｔ６は、前述した高さｔ３とほぼ同様とされる。このように、化粧プレート２１６’の高さｔ６は高くされていても、図４１に示すように、化粧プレート２１６’の前面と端子台２１１の前面とはほぼ同じ高さとすることができ、見映えを良好とすることができる。
このように、従来の他の直列ユニット２００においては、化粧プレートの高さに応じて第２挿入片２１２ｄを嵌合する第１挿入片２１２ｃの面を選択することにより、高さが異なる化粧プレートに対応できるようになる。
【００１７】
しかしながら、従来の他の直列ユニット２００においては、第１挿入片２１２ｃに別体とされた第２挿入片２１２ｄを取り外し可能に嵌合していることから、２つの部品が必要になり、コストが上昇したり部品を紛失することがあるという問題点があった。
また、従来の他の直列ユニット２００に替えて、第１取付枠耳部および第２取付枠耳部の挿入片を挿入する挿入孔を前後に並べてシールドケースの上部と下部に形成した従来の直列ユニットも知られている。この従来の直列ユニットでは、化粧プレートの高さに応じて第１取付枠耳部および第２取付枠耳部の挿入片を挿入する挿入孔を選択することによっても高さが異なる化粧プレートに対応することができる。しかしながら、この従来の直列ユニットでは、挿入孔を前後に並べて形成することから、挿入孔の奥行きが薄くなって挿入片の厚みが薄くなってしまうことになる。挿入片の厚みが薄いと機械的な強度が弱くなって、挿入片が折れたり曲がったりするという問題点が生じることになる。
【００１８】
そこで、本発明は、部品点数を減少することができると共に、機械的な強度も満足することのできる高さが異なる化粧プレートに対応できるようにした直列ユニットを提供することを目的としている。
【課題を解決するための手段】
【００１９】
本発明にかかる直列ユニットは、前面に出力端子を備え、後部に入力端子を備えるシールドケースと、該シールドケースの上面の両側に設けられた挿入孔に２組の挿入片をそれぞれ挿入することにより取り外し自在に固着される第１取付枠耳部と、該第１取付枠耳部と同じ構成とされ、前記シールドケースの下部の両側に設けられた挿入孔に２組の挿入片をそれぞれ挿入することにより取り外し自在に固着される第２取付枠耳部とを備え、前記第１取付枠耳部および前記第２取付枠耳部は、取付用の穴が形成されている耳部本体と、位置が前後にずれていると共に左右にもずれて形成されている第１挿入片と第２挿入片とが組とされる前記２組の挿入片とを有し、前記シールドケースに固着される際に、前記２組の挿入片が、前記シールドケースの前記挿入孔に挿入されて固着することができると共に、組とされた前記第１挿入片と前記第２挿入片との間に前記挿入孔の前壁が挟持されるよう前記挿入孔に挿入されて固着することができるようにされていることを最も主要な特徴としている。
【発明の効果】
【００２０】
本発明の直列ユニットでは、前記第１取付枠耳部および前記第２取付枠耳部をシールドケースに固着する際に、２組の挿入片を、シールドケースの挿入孔に挿入して固着すると、直列ユニットの前面側の突出量を高くすることができる。そして、組とされた第１挿入片と第２挿入片との間に挿入孔の前壁が挟持されるよう挿入孔に挿入して固着すると、直列ユニットの前面側の突出量を低くすることができる。これにより、高さが異なる化粧プレートに対応できるようになり、対応するための別部材を必要としないことから部品点数を減少することができると共に、機械的な強度も満足することができるようになる。
【図面の簡単な説明】
【００２１】
【図１】本発明の実施例にかかる直列ユニットの構成を示す斜視図である。
【図２】本発明の実施例にかかる直列ユニットの構成を示す正面図、Ａ−Ａ線断面図、Ｂ−Ｂ線断面図である。
【図３】本発明の実施例にかかる直列ユニットの構成を示す上面図である。
【図４】本発明の実施例にかかる直列ユニットの構成を示す側面図である。
【図５】本発明の実施例にかかる直列ユニットの構成を示す下面図である。
【図６】本発明の実施例にかかる直列ユニットの構成を示す背面図である。
【図７】本発明の実施例にかかる直列ユニットの構成を分解して示す斜視図である。
【図８】本発明の実施例にかかる直列ユニットを変形した構成を示す斜視図である。
【図９】本発明の実施例にかかる直列ユニットを変形した構成を示す正面図、Ｅ−Ｅ線断面図、Ｆ−Ｆ線断面図である。
【図１０】本発明の実施例にかかる直列ユニットを変形した構成を示す上面図である。
【図１１】本発明の実施例にかかる直列ユニットを変形した構成を示す側面図である。
【図１２】本発明の実施例にかかる直列ユニットを変形した構成を示す下面図である。
【図１３】本発明の実施例にかかる直列ユニットを変形した構成を示す背面図である。
【図１４】本発明の実施例の直列ユニットにおけるシールドケースの構成を示す斜視図である。
【図１５】本発明の実施例の直列ユニットにおけるシールドケースの構成を示す正面図である。
【図１６】本発明の実施例の直列ユニットにおけるシールドケースの構成を示すＣ−Ｃ線断面図、Ｄ−Ｄ線断面図である。
【図１７】本発明の実施例の直列ユニットにおけるシールドケースの構成を示す側面図である。
【図１８】本発明の実施例の直列ユニットにおけるシールドケースの構成を示す上面図である。
【図１９】本発明の実施例の直列ユニットにおけるシールドケースの構成を示す背面図である。
【図２０】本発明の実施例の直列ユニットにおけるシールドケースの構成を示す下面図である。
【図２１】本発明の実施例の直列ユニットにおける第１取付枠耳部の構成を示す斜視図、正面図、上面図である。
【図２２】本発明の実施例の直列ユニットにおける第１取付枠耳部の構成を示す下面図、側面図、背面図である。
【図２３】本発明の実施例の直列ユニットにおける端子台の構成を示す前方斜視図、後方斜視図、正面図である。
【図２４】本発明の実施例の直列ユニットにおける端子台の構成を示す上面図、側面図、背面図である。
【図２５】本発明の実施例の直列ユニットに化粧プレートを取り付けた構成を一部破断して示す正面図、側面図である。
【図２６】本発明の実施例の直列ユニットに化粧プレートを取り付けた構成を断面図で示す側面図である。
【図２７】本発明の実施例の直列ユニットに化粧プレートを取り付けた構成を分解して示す斜視図である。
【図２８】本発明の実施例の変形した直列ユニットに化粧プレートを取り付けた構成を示す側面図である。
【図２９】本発明の実施例の変形した直列ユニットに化粧プレートを取り付けた構成を断面図で示す側面図である。
【図３０】従来の直列ユニットの構成を示す正面図である。
【図３１】従来の直列ユニットの構成を分解して示す側面図である。
【図３２】従来の直列ユニットの構成を示す側面図である。
【図３３】従来の直列ユニットに化粧プレートを取り付けた構成を一部破断して示す側面図である。
【図３４】従来の直列ユニットに化粧プレートを取り付けた構成を示す正面図である。
【図３５】従来の直列ユニットに種類の異なる化粧プレートを取り付けた構成を一部破断して示す側面図である。
【図３６】従来の他の直列ユニットの構成を分解して示す正面図である。
【図３７】従来の他の直列ユニットにおける第１取付枠耳部の構成を示す側面図である。
【図３８】従来の他の直列ユニットにおけるシールドケースの構成を示す背面図、上面図である。
【図３９】従来の他の直列ユニットにおける第１取付枠耳部の構成を示す正面図、側面図である。
【図４０】従来の他の直列ユニットにおける第２挿入片の構成を示す正面図、側面図である。
【図４１】従来の他の直列ユニットを壁部に取り付けた構成を示す側面図である。
【図４２】従来の他の直列ユニットを変形して壁部に取り付けた構成を示す側面図である。
【発明を実施するための形態】
【００２２】
本発明の実施例の直列ユニット１の構成を図１ないし図７に示す。図１は本発明の実施例の直列ユニット１の構成を示す斜視図であり、図２（ａ）（ｂ）（ｃ）は本発明の実施例の直列ユニット１の構成を示す正面図、Ａ−Ａ線断面図、Ｂ−Ｂ線断面図であり、図３は本発明の実施例の直列ユニット１の構成を示す上面図であり、図４は本発明の実施例の直列ユニット１の構成を示す側面図であり、図５は本発明の実施例の直列ユニット１の構成を示す下面図であり、図６は本発明の実施例の直列ユニット１の構成を示す背面図であり、図７は本発明の実施例の直列ユニット１の構成を分解して示す斜視図である。
図７に示すように、本発明にかかる直列ユニット１は、金属製のシールドケース１０の前面に端子台１１が取り外し自在に固着され、シールドケース１０の上部に第１取付枠耳部１２が取り外し自在に固着され、シールドケース１０の下部に第２取付枠耳部１３が取り外し自在に固着されて構成されている。
【００２３】
まず、シールドケース１０、第１取付枠耳部１２および第２取付枠耳部１３、端子台１１の構成について説明する。シールドケース１０の構成を図１４ないし図２０に示す。図１４はシールドケース１０の構成を示す斜視図であり、図１５はシールドケース１０の構成を示す正面図であり、図１６（ａ）（ｂ）はシールドケース１０の構成を示すＣ−Ｃ線断面図、Ｄ−Ｄ線断面図であり、図１７はシールドケース１０の構成を示す側面図であり、図１８はシールドケース１０の構成を示す上面図であり、図１９はシールドケース１０の構成を示す平面斜視図であり、図２０はシールドケース１０の構成を示す下面図である。
図１４ないし図２０に示すシールドケース１０は、金属を成形することにより作成され上部に横長とされた直方体形状の本体上部１０ａを備え、中央部から下部にかけて縦長の直方体形状の本体中央部１０ｂを備え、下部に平板状の本体下部１０ｃを備えている。シールドケース１０の前面からは同軸端子とされている第１出力端子２２と第２出力端子２３とが上下に配置されて前方へ突出するよう設けられている。第１出力端子２２と第２出力端子２３との間には、第１出力端子２２と第２出力端子２３との通信モードを、上り信号帯域をカットする通信モードと上り信号帯域を通過させる通信モードとのいずれかに切り換えるための２つのモードスイッチ２０ｅが設けられている。
【００２４】
シールドケース１０の本体上部１０ａの前面の両側が板状に突出しており、その先端部の上下に専用枠取付爪片２０ｄが設けられている。また、本体下部１０ｃの前面の両側も板状に突出しており、その先端部の上下に専用枠取付爪片２０ｄが設けられている。また、本体上部１０ａおよび本体下部１０ｃの前面の両側にはコ字状の形状とされた係合部２０ｃが縦方向に一対ずつ形成されている。この本体上部１０ａおよび本体下部１０ｃにそれぞれ一対ずつ形成された係合部２０ｃは矩形状の縦長の係合孔を有している。さらに、直方体形状の本体上部１０ａの上面前部の両側には所定深さの断面が横長の矩形状とされた挿入孔２０ａが縦方向に形成されており、本体下部１０ｃの後面の両側は縦方向の矩形状に突出しており、突出された部位には所定深さの断面が横長の矩形状とされた挿入孔２０ａが縦方向に形成されている。本体上部１０ａおよび本体下部１０ｃにそれぞれ一対ずつ形成されている挿入孔２０ａは、図１６（ａ）（ｂ）に示すように深さが深くなるにつれて幅が若干狭くなるように形成されている。さらにまた、図１５に示すように本体上部１０ａに形成されている一対の挿入孔２０ａの前壁には所定長さのスリットとされた摺動溝２０ｂが上端から縦方向に形成されており、摺動溝２０ｂの下には矩形状の係合孔２０ｆがそれぞれ形成されている。そして、本体下部１０ｃに形成されている一対の挿入孔２０ａの前壁にも所定長さのスリットとされた摺動溝２０ｂが下端から縦方向に形成されており、摺動溝２０ｂの上には矩形状の係合孔２０ｆがそれぞれ形成されている。
【００２５】
直方体形状の本体上部１０ａの下面からは同軸端子とされている入力端子２１が下方へ突出するよう設けられている。また、この本体上部１０ａの内部には図１６（ａ）に示すように基板２６が設けられており、基板２６には入力端子２１から入力された受信信号を２分配する分配回路が設けられ、この分配回路で２分配された受信信号はそれぞれ第１出力端子２２および第２出力端子２３から出力されるようになる。すなわち、入力端子２１に受信信号を導く同軸ケーブルを接続し、第１出力端子２２や第２出力端子２３に接続された同軸ケーブルをテレビ受信機等に接続することにより、テレビ受信機等で受信信号を受信することができる。なお、直方体形状の本体上部１０ａの後面には金属製の上蓋２４が嵌合され、本体中央部１０ｂの後面には金属製の中蓋２５が嵌合されて、シールドケース１０はシールドされている。
【００２６】
次に、第１取付枠耳部１２および第２取付枠耳部１３の構成を説明するが、第１取付枠耳部１２および第２取付枠耳部１３の構成は同じとされているので、第１取付枠耳部１２の構成を説明することで第２取付枠耳部１３の構成も説明することとする。第１取付枠耳部１２の構成を図２１および図２２に示す。図２１（ａ）（ｂ）（ｃ）は第１取付枠耳部１２の構成を示す斜視図、正面図、上面図であり、図２２（ａ）（ｂ）（ｃ）は第１取付枠耳部１２の構成を示す下面図、側面図、背面図である。
図２１および図２２に示す第１取付枠耳部１２は、樹脂を成形することにより作成され、これらの図に示すように、ほぼ矩形状の耳部本体１２ａと、耳部本体１２ａの下端に平板状に形成された鍔部１２ｃと、鍔部１２ｃの下面から下方へ突出するよう形成された第１挿入片１２ｄおよび第２挿入片１２ｅとから構成されている。
【００２７】
耳部本体１２ａは板状とされ、上部の側面がテーパ状とされて上に向かって幅が狭くなっており、ほぼ中央には長孔とされた挿通孔１２ｂが形成され、挿通孔１２ｂの上に雌ネジが切られたネジ孔１２ｈが形成され、ネジ孔１２ｈの両側に一対のネジ取付孔１２ｉが形成されている。耳部本体１２ａは、矩形の平板状に形成された鍔部１２ｃの上面の前縁から立設するよう形成されており、鍔部１２ｃの下面の両側における中央近傍からは下方へ突出するよう一対の第２挿入片１２ｅが形成され、第２挿入片１２ｅより外側かつ後側であって鍔部１２ｃの下面から下方へ突出するよう一対の第１挿入片１２ｄが形成されている。第１挿入片１２ｄは、細長い板状の形状とされ先端に行くに従い横幅が若干狭くなるテーパ状とされている。また、一対のそれぞれの第２挿入片１２ｅも、細長い板状の形状とされるが根元から所定長さの前面および後面に矩形の羽状とされた突出部が形成されて十字状部１２ｆとされており、さらに先端は前後に突出し先端に行くほど厚さが薄くなる膨出部１２ｇとされている。第１挿入片１２ｄとその近傍に形成されている第２挿入片１２ｅとで挿入片の組が構成され、組とされた第１挿入片１２ｄと第２挿入片１２ｅとは位置が前後にずれていると共に左右にもずれて鍔部１２ｃの下面から突出するよう形成されており、鍔部１２ｃの下面の両側に位置して第１挿入片１２ｄと第２挿入片１２ｅとからなる組が２組形成されている。
上記説明した第１取付枠耳部１２の構成は、前述したように第２取付枠耳部１３の構成と同様とされており、第２取付枠耳部１３における各部の符号は符号「１２」を符号「１３」に置き換えた符号とされている。なお、第１取付枠耳部１２および第２取付枠耳部１３は、直列ユニット１を後述するボックスや壁面に取り付けるための取付用部材であり、直列ユニット１を取り付ける際には挿通孔１２ｂやネジ取付孔１２ｉに挿通したネジ等の取付手段がボックスや壁面に取り付けられるようになる。
【００２８】
次に、端子台１１の構成を図２３および図２４を参照しながら説明する。図２３（ａ）（ｂ）（ｃ）は端子台１１の構成を示す前方斜視図、後方斜視図、正面図であり、図２４（ａ）（ｂ）（ｃ）は端子台１１の構成を示す上面図、側面図、背面図である。
樹脂を成形することにより作成された端子台１１は、図２３および図２４に示すように、縦に長い矩形状の台本体１１ａを備え、台本体１１ａの前面には２つの円筒孔１１ｂが上下に形成され、円筒孔１１ｂを形成するリング状部１１ｃが後方へ延伸されて形成されている。端子台１１の４辺には壁部１１ｆが形成されており、両側部を形成する壁部１１ｆには、それぞれ円筒孔１１ｂに対応する位置に一対の当接片１１ｅと、当接片１１ｅに挟まれるように係合片１１ｄとが形成されている。それぞれの係合片１１ｄの先端部には段部と段部から先端に行くほど厚さが薄くなるテーパ状とされた係合爪１１ｇが形成されており、一対の当接片１１ｅの係合片１１ｄ側の面には所定の大きさの凹部がそれぞれ形成されている。
【００２９】
本発明にかかる直列ユニット１は上記したシールドケース１０、第１取付枠耳部１２、第２取付枠耳部１３および端子台１１とを組み合わせて構成されており、直列ユニット１の組み立てを図７を参照して説明する。
まず、シールドケース１０の本体上部１０ａの上面前部の両側に形成された２つの挿入孔２０ａ内に、第１取付枠耳部１２に形成されている第１挿入片１２ｄと第２挿入片１２ｅとからなる組をそれぞれ上から挿入する。第１取付枠耳部１２の鍔部１２ｃの下面が本体上部１０ａの上面に当接するまで第１挿入片１２ｄと第２挿入片１２ｅとが挿入孔２０ａ内に挿入されるが、挿入される際に第２挿入片１２ｅに形成されている十字状部１２ｆの前面の突出部が、本体上部１０ａの挿入孔２０ａの前壁に形成された摺動溝２０ｂ内を摺動しながら挿入されていく。そして、第１取付枠耳部１２における鍔部１２ｃの下面が本体上部１０ａの上面に当接する際に、第２挿入片１２ｅの膨出部１２ｇの前面側が、本体上部１０ａの挿入孔２０ａの前壁に形成された係合孔２０ｆに係合する。この様子が図２（ｂ）のＡ−Ａ線断面図に示されている。これにより、第１取付枠耳部１２は挿入孔２０ａに確実に安定して固着される。なお、第１挿入片１２ｄの横幅は先端に行くに従い幅が若干狭くなっていることから、２つの挿入孔２０ａに２組の第１挿入片１２ｄと第２挿入片１２ｅとからなる組をそれぞれ容易に且つ確実に挿入することができる。
【００３０】
また、シールドケース１０の本体下部１０ｃの後面の両側に形成された２つの挿入孔２０ａ内に、第２取付枠耳部１３に形成されている第１挿入片１３ｄと第２挿入片１３ｅとからなる組がそれぞれ下から挿入されて固着される。この固着の説明は上記した第１取付枠耳部１２を本体上部１０ａの２つの挿入孔２０ａに固着する説明と同様とされることから省略するが、第２挿入片１３ｅに形成されている十字状部１３ｆの前面の突出部が、本体下部１０ｃの挿入孔２０ａの前壁に形成された摺動溝２０ｂ内を摺動しながら挿入されていくと共に、第２挿入片１３ｅの膨出部１３ｇの前面側が、本体下部１０ｃの挿入孔２０ａの前壁に形成された係合孔２０ｆに係合する。この様子が図２（ｃ）のＢ−Ｂ線断面図に示されている。
【００３１】
次に、端子台１１をシールドケース１０の前面に配置して、端子台１１の２つの円筒孔１１ｂのそれぞれに第１出力端子２２と第２出力端子２３との位置を合わせ、端子台１１の２つの円筒孔１１ｂのそれぞれに第１出力端子２２と第２出力端子２３とを挿入していく。これにより、端子台１１の両側にそれぞれ２つずつ形成されている係合片１１ｄが、シールドケース１０の前面から立設して形成されている係合部２０ｃに当接する。さらに、端子台１１をシールドケース１０側に押し込んでいくと、係合部２０ｃを挟む２つの当接片１１ｅの前面の凹部に係合部２０ｃが位置合わせおよび案内され端子台１１が押し込まれていき、係合片１１ｄの先端の係合爪１１ｇが係合部２０ｃの矩形状の係合孔に係合するようになる。このように、端子台１１の両側に形成されている合計４つの係合片１１ｄが、シールドケース１０の前面の両側に形成されている合計４つの係合部２０ｃに係合することから、端子台１１は確実に安定してシールドケース１０に固着される。
これにより、第１図ないし第６図に示す本発明にかかる直列ユニット１が組み立てられ、この時の、第１取付枠耳部１２あるいは第２取付枠耳部１３の後面から端子台１１の前面までの高さは、図４に示すように高さｄ１となる。例えば、高さｄ１は約１０ｍｍとされる。
【００３２】
本発明にかかる直列ユニット１は、第１取付枠耳部１２あるいは第２取付枠耳部１３の後面から端子台１１の前面までの高さを変更するよう組み立てることができる。この高さを変更して組み立てた変形した直列ユニット２の構成を図８ないし図１３に示す。図８は本発明にかかる変形した直列ユニット２の構成を示す斜視図であり、図９（ａ）（ｂ）（ｃ）は本発明にかかる変形した直列ユニット２の構成を示す正面図、Ｅ−Ｅ線断面図、Ｆ−Ｆ線断面図であり、図１０は本発明にかかる変形した直列ユニット２の構成を示す上面図であり、図１１は本発明にかかる変形した直列ユニット２の構成を示す側面図であり、図１２は本発明にかかる変形した直列ユニット２の構成を示す下面図であり、図１３は本発明にかかる変形した直列ユニット２の構成を示す背面図である。
【００３３】
本発明にかかる変形した直列ユニット２の組み立てについて説明するが、シールドケース１０、第１取付枠耳部１２、第２取付枠耳部１３および端子台１１は上記した構成とされており、変形した直列ユニット２の組み立ても図７を参照して説明する。
まず、シールドケース１０の本体上部１０ａの上面前部の両側に形成された２つの挿入孔２０ａ内に、第１取付枠耳部１２に形成されている第１挿入片１２ｄと第２挿入片１２ｅとからなる組をそれぞれ上から挿入する。この場合、第１挿入片１２ｄと第２挿入片１２ｅとの間に挿入孔２０ａの前壁を挟むように、第１挿入片１２ｄのみを挿入孔２０ａ内に挿入し、第２挿入片１２ｅは本体上部１０ａの前壁の前面に位置させる。第１取付枠耳部１２の鍔部１２ｃの下面が本体上部１０ａの上面に当接するまで第１挿入片１２ｄが挿入孔２０ａ内に挿入されるが、挿入される際に第２挿入片１２ｅに形成されている十字状部１２ｆの後面の突出部が、本体上部１０ａの挿入孔２０ａの前壁に形成された摺動溝２０ｂ内を摺動しながら挿入されていく。そして、第１取付枠耳部１２の鍔部１２ｃの下面が本体上部１０ａの上面に当接する際に、第２挿入片１２ｅの膨出部１２ｇの後面側が、本体上部１０ａの挿入孔２０ａの前壁に形成された係合孔２０ｆに係合する。この様子が図９（ｂ）のＥ−Ｅ線断面図に示されている。これにより、第１挿入片１２ｄと第２挿入片１２ｅとの組により挿入孔２０ａの前壁が挟持されることから、第１取付枠耳部１２は本体上部１０ａの挿入孔２０ａに確実に安定して固着される。
【００３４】
また、シールドケース１０の本体下部１０ｃの後面の両側に形成された２つの挿入孔２０ａ内に、第２取付枠耳部１３に形成されている第１挿入片１３ｄのみがそれぞれ下から挿入されて固着される。この固着の説明は上記した第１取付枠耳部１２を本体上部１０ａの２つの挿入孔２０ａに固着する説明と同様とされることから省略するが、第２挿入片１３ｅに形成されている十字状部１３ｆの後面の突出部が、本体下部１０ｃの挿入孔２０ａの前壁に形成された摺動溝２０ｂ内を摺動しながら挿入されていくと共に、第２挿入片１３ｅの膨出部１３ｇの後面側が、本体下部１０ｃの挿入孔２０ａの前壁に形成された係合孔２０ｆに係合する。この様子が図９（ｃ）のＦ−Ｆ線断面図に示されている。このように、第１挿入片１３ｄと第２挿入片１３ｅとの組により挿入孔２０ａの前壁が挟持されることから、第２取付枠耳部１３は本体下部１０ｃの挿入孔２０ａに確実に安定して固着される。
【００３５】
次に、端子台１１がシールドケース１０の前面に固着されるが、その説明は上記した通りであるので省略する。これにより、図８ないし図１３に示す本発明にかかる変形した直列ユニット２が組み立てられ、この時の、第１取付枠耳部１２あるいは第２取付枠耳部１３の後面から端子台１１の前面までの高さは、図１１に示すように高さｄ２となる。変形した直列ユニット２においては第１取付枠耳部１２および第２取付枠耳部１３が端子台１１に近づくよう取り付けられることから、高さｄ２は高さｄ１より低くなり、例えば約８ｍｍとされる。
【００３６】
本発明にかかる直列ユニット１，２は、屋内の壁面に埋め込まれた箱状のボックスに取り付けて使用することができる。本発明にかかる直列ユニット１，２をボックスに取り付けて使用する際には、第１出力端子２２あるいは第２出力端子２３に屋内のテレビ受信機等に一端が接続された同軸ケーブルの他端を接続し、入力端子２１には壁の内部空間に配置されたアンテナ等の受信信号を導く同軸ケーブルが接続される。また、直列ユニット１，２の前面側には化粧パネルが取り付けられる。
本発明にかかる直列ユニット１をボックス１９に取り付けた構成を図２５ないし図２７に示す。図２５（ａ）（ｂ）は化粧プレート１５が装着された本発明にかかる直列ユニット１がボックス１９に取り付けられた構成を一部破断して示す正面図および側面図であり、図２６はその構成を断面図で示す側面図であり、図２７はその構成を分解して示す斜視図である。
【００３７】
本発明にかかる直列ユニット１をボックス１９に取り付ける態様を図２７を参照して説明する。図２７に示すボックス１９は、前面が開口された箱状のボックス本体１９ａから構成され、図示されていないが屋内の壁面内に埋め込まれて設けられている。ボックス１９の上面および下面には複数のケーブル挿通孔１９ｃが形成されており、ボックス１９の上面および下面の内側のほぼ中央にはネジ孔を備えるボス１９ｂが形成されている。直列ユニット１は上記した図１ないし図６に示す構成とされており、第１取付枠耳部１２および第２取付枠耳部１３の挿通孔１２ｂ，１３ｂにそれぞれ取付ネジ１８を挿通した直列ユニット１をボックス１９の前面に配置して、２本の取付ネジ１８をボックス１９の２つのボス１９ｂにそれぞれ螺着する。これにより、直列ユニット１がボックス１９の前面に取り付けられ、シールドケース１０を含む直列ユニット１の大部分がボックス１９内に収納される。なお、壁の内部空間に配置されたアンテナの受信信号を導く同軸ケーブルは、ボックス１９のケーブル挿通孔１９ｃからボックス１９内に導入されて直列ユニット１の入力端子２１に接続される。
【００３８】
次に、プレート枠１６が直列ユニット１の前面に取り付けられる。プレート枠１６には大きな開口１６ｃが形成されて枠本体１６ａは４辺の枠のみで形成されている。枠本体１６ａにおける左右の枠におけるほぼ中央と上下には矩形状とされた３つの係合穴１６ｂがそれぞれ形成されている。また、枠本体１６ａの上下の枠のほぼ中央には挿通穴が形成され、この挿通穴のそれぞれにビス１７が挿通されている。このプレート枠１６をボックス１９に取り付けられた直列ユニット１の前面に配置して、２本のビス１７のそれぞれを第１取付枠耳部１２および第２取付枠耳部１３のネジ孔１２ｈ，１３ｈに螺着する。これにより、プレート枠１６が直列ユニット１の前面に取り付けられ、直列ユニット１の端子台１１の前面はプレート枠１６の開口１６ｃを介して前方へ突出するようになる。次いで、化粧プレート１５をプレート枠１６に取り付ける。化粧プレート１５は縦長の矩形状の嵌合孔１５ｂがほぼ中央に形成されたプレート本体１５ａからなり、嵌合孔１５ｂは直列ユニット１の端子台１１の外形形状とほぼ同じ大きさとされている。また、図示していないがプレート本体１５ａの裏面からはプレート枠１６の６つの係合穴１６ｂに対応する位置に６つの係合片がそれぞれ突出して形成されている。化粧プレート１５をプレート枠１６の前面に配置して化粧プレート１５の係合片のそれぞれをプレート枠１６の係合穴１６ｂに位置合わせして、化粧プレート１５をプレート枠１６に押しつけると化粧プレート１５の６つの係合片が、プレート枠１６の６つの係合穴１６ｂのそれぞれに嵌合される。これにより、化粧プレート１５がプレート枠１６に確実に固着される。
【００３９】
このようにして、ボックス１９に直列ユニット１が収納されるよう取り付けられ、直列ユニット１およびボックス１９の前面が化粧プレート１５により閉塞される。この構成が図２６の断面図で示す側面図に示されている。ボックス１９に直列ユニット１が取り付けられ、この直列ユニット１の前面を閉塞するよう化粧プレート１５が取り付けられる構成により、直列ユニット１に塵埃や水分などが侵入することを防止することができる。この時に、図２５（ｂ）に示すようにプレート枠１６の後面から化粧プレート１５の前面までの高さがｄ３となり、化粧プレート１５の前面から端子台１１がわずかな高さｄ４だけ突出するようになる。例えば、高さｄ３は約９ｍｍとされ高さｄ４は約１ｍｍとされることから、化粧プレート１５の前面から端子台１１がわずか突出するようになり、見映えを良好とすることができる。なお、プレート枠１６の後面と直列ユニット１の第１取付枠耳部１２および第２取付枠耳部１３の後面とはほぼ同一平面上に位置することから、直列ユニット１における第１取付枠耳部１２および第２取付枠耳部１３の後面から端子台１１の前面までの高さｄ１は、高さｄ３と高さｄ４との和の高さとほぼ同様となる。
【００４０】
本発明にかかる変形した直列ユニット２をボックス１９に取り付ける場合は、種類の異なる化粧プレート１５’が用いられるが、直列ユニット１をボックス１９に取り付ける場合と同様に取り付けられることから、その説明は省略する。そして、変形した直列ユニット２をボックス１９に取り付けた構成を示す側面図を図２８に示し、その構成を断面図で示す側面図を図２９に示す。
これらの図に示すように、ボックス１９に変形した直列ユニット２が収納されるよう取り付けられ、変形した直列ユニット２およびボックス１９の前面に種類の異なる化粧プレート１５’が取り付けられて、ボックス１９の前面が閉塞される。この種類の異なる化粧プレート１５’は高さが化粧プレート１５より低くされているが、他の構成は化粧プレート１５とほぼ同じ構成とされている。ボックス１９に変形した直列ユニット２が取り付けられ、この直列ユニット２の前面を閉塞するよう化粧プレート１５’が取り付けられる構成により、変形した直列ユニット２に塵埃や水分などが侵入することを防止することができる。この時に、図２８に示すようにプレート枠１６の後面から化粧プレート１５’の前面までの高さがｄ５となり、化粧プレート１５’の前面から端子台１１がわずかな高さｄ６だけ突出するようになる。例えば、高さｄ５は約７ｍｍとされ高さｄ６は約１ｍｍとされることから、化粧プレート１５’の前面から端子台１１はわずか突出するようになり、見映えを良好とすることができる。
【００４１】
なお、プレート枠１６の後面と直列ユニット１の第１取付枠耳部１２および第２取付枠耳部１３の後面とはほぼ同一平面上に位置することから、変形した直列ユニット２における第１取付枠耳部１２および第２取付枠耳部１３の後面から端子台１１の前面までの高さｄ２は、高さｄ５と高さｄ６との和の高さとほぼ同様となる。また、直列ユニット１の前面を種類の異なる化粧プレート１５’で閉塞するよう取り付けた場合に、化粧プレート１５’から突出する端子台１１を図２８に破線で示している。この図に示すように、直列ユニット１に種類の異なる化粧プレート１５’を取り付けた場合は、化粧プレート１５’から端子台１１が高さｄ７の高さで突出するようになり、見栄えが悪くなる。そこで、シールドケース１０から第１取付枠耳部１２および第２取付枠耳部１３を取り外して、前述したようにシールドケース１０に第１取付枠耳部１２および第２取付枠耳部１３が端子台１１に近づくように取り付けて変形した直列ユニット２とする。これにより、図２８，図２９に示すように見栄えを良好にすることができる。
【００４２】
以上説明したように、本発明にかかる直列ユニットは高さの異なる化粧プレートに応じて第１取付枠耳部および第２取付枠耳部と端子台との間隔を変更することができることから、いずれの化粧プレートが使用される場合でも対応することができる。そして、第１取付枠耳部および第２取付枠耳部と端子台との間隔の変更は、第１取付枠耳部および第２取付枠耳部の配置位置を変えてシールドケースに取り付けることで達成することができることから、部品点数を減少することができると共に、機械的な強度も満足させることができる。
なお、以上の説明では第１取付枠耳部１２および第２取付枠耳部１３の挿通孔１２ｂ，１３ｂに挿通した取付ネジ１８をボックス１９のボス１９ｂに螺着して取り付けていたが、第１取付枠耳部１２および第２取付枠耳部１３における一対のネジ取付孔１２ｉに挿通した木ねじを壁面にねじ込むようにすることで、直列ユニット１，２を壁面に取り付けることもできる。この場合の壁面には矩形状の取付開口を設けるようにし、取付開口内に直列ユニット１，２の後部が収納されるようになる。この取付開口の縦方向の寸法は第１取付枠耳部１２および第２取付枠耳部１３における挿通孔１２ｂ、１３ｂ間の寸法程度とされ、横方向の寸法はシールドケース１０の横幅の寸法より大きくされる。また、この取付開口内にボックス１９が設けられていても良い。
【産業上の利用可能性】
【００４３】
以上説明した本発明にかかる直列ユニットでは、高さが約７ｍｍと約９ｍｍとされた化粧プレートに対応できるようにしたが、本発明はこれに限ることはなく、第１取付枠耳部および第２取付枠耳部における第１挿入片および第２挿入片を設ける位置に応じて他の高さの化粧プレートにも対応させることができる。
また、本発明にかかる直列ユニットにおいて、シールドケースは金属製としたが、これに限ることはなく導電性であればどのような素材から作成されていても良い。また、シールドケースが備える入力端子、第１出力端子および第２出力端子はネジが切られていることから、別途作成した入力端子、第１出力端子および第２出力端子を成形後のシールドケースに取り付けるようにしても良い。さらに、第１取付枠耳部および第２取付枠耳部、端子台は樹脂製としたが、金属製であっても良い。
以上説明した本発明にかかる直列ユニットにおいては、出力端子を２つ備えるようにしたが、出力端子数を１つまたは３つ備えるようにしても良い。また、本発明にかかる直列ユニットは、シールドケースから第１取付枠耳部、第２取付枠耳部、端子台を取り外すことができる構成とされており、この取り外し可能な係合手段は上記説明した係合手段に限ることはなく、他の着脱可能な係合手段を採用することができるものである。
【符号の説明】
【００４４】
１，２  直列ユニット、１０  シールドケース、１０ａ  本体上部、１０ｂ  本体中央部、１０ｃ  本体下部、１１  端子台、１１ａ  台本体、１１ｂ  円筒孔、１１ｃ  リング状部、１１ｄ  係合片、１１ｅ  当接片、１１ｆ  壁部、１１ｇ  係合爪、１２  第１取付枠耳部、１２ａ  耳部本体、１２ｂ  挿通孔、１２ｃ  鍔部、１２ｄ  挿入片、１２ｅ  挿入片、１２ｆ  十字状部、１２ｇ  膨出部、１２ｈ  ネジ孔、１２ｉ  ネジ取付孔、１３  第２取付枠耳部、１３ｄ  挿入片、１３ｅ  挿入片、１３ｆ  十字状部、１３ｇ  膨出部、１５  化粧プレート、１５ａ  プレート本体、１５ｂ  嵌合孔、１６  プレート枠、１６ａ  枠本体、１６ｂ  係合穴、１６ｃ  開口、１７  ビス、１８  取付ネジ、１９  ボックス、１９ａ  ボックス本体、１９ｂ  ボス、１９ｃ  ケーブル挿通孔、２０ａ  挿入孔、２０ｂ  摺動溝、２０ｃ  係合部、２０ｄ  専用枠取付爪片、２０ｅ  モードスイッチ、２０ｆ  係合孔、２１  入力端子、２２  第１出力端子、２３  第２出力端子、２４  上蓋、２５  中蓋、２６  基板、１００  直列ユニット、１１０  プレート枠、１１０  専用枠、１１０ｂ  挿通孔、１１０ｃ  ネジ取付孔、１１０ｄ  爪片取付部、１１１  シールドケース、１１１ａ  係合部、１１１ｂ  専用枠取付爪片、１１１ｃ  延伸部、１１２  端子台、１１２ｂ  係合片、１１２ｃ  円筒部、１１３  第１出力端子、１１４  第２出力端子、１１５  入力端子、１１６  化粧プレート、１１７  プレート枠、１２０  壁部、１２１  取付開口、２００  直列ユニット、２１０  シールドケース、２１０ａ  挿入孔、２１０ｂ  専用枠取付爪片、２１０ｃ  係合部、２１０ｃ  端子台、２１１  端子台、２１２  取付枠耳部、２１２ａ  耳部本体部、２１２ｂ  挿通孔、２１２ｃ  第１挿入片、２１２ｄ  第２挿入片、２１２ｅ  スリット、２１２ｆ  係止片、２１２ｇ  ネジ取付孔、２１２ｈ  係合孔、２１２ｊ  嵌合突起、２１２ｋ  突出部、２１３  取付枠耳部、２１３ｃ  挿入片、２１３ｄ  挿入片、２１３ｇ  ネジ取付孔、２１４  第１出力端子、２１５  第２出力端子、２１６  入力端子、２１６  化粧プレート、２１７  プレート枠、２２０  壁部
【図１】
2015080304.tif 000003
【図２】
2015080304.tif 000004
【図３】
2015080304.tif 000005
【図４】
2015080304.tif 000006
【図５】
2015080304.tif 000007
【図６】
2015080304.tif 000008
【図７】
2015080304.tif 000009
【図８】
2015080304.tif 000010
【図９】
2015080304.tif 000011
【図１０】
2015080304.tif 000012
【図１１】
2015080304.tif 000013
【図１２】
2015080304.tif 000014
【図１３】
2015080304.tif 000015
【図１４】
2015080304.tif 000016
【図１５】
2015080304.tif 000017
【図１６】
2015080304.tif 000018
【図１７】
2015080304.tif 000019
【図１８】
2015080304.tif 000020
【図１９】
2015080304.tif 000021
【図２０】
2015080304.tif 000022
【図２１】
2015080304.tif 000023
【図２２】
2015080304.tif 000024
【図２３】
2015080304.tif 000025
【図２４】
2015080304.tif 000026
【図２５】
2015080304.tif 000027
【図２６】
2015080304.tif 000028
【図２７】
2015080304.tif 000029
【図２８】
2015080304.tif 000030
【図２９】
2015080304.tif 000031
【図３０】
2015080304.tif 000032
【図３１】
2015080304.tif 000033
【図３２】
2015080304.tif 000034
【図３３】
2015080304.tif 000035
【図３４】
2015080304.tif 000036
【図３５】
2015080304.tif 000037
【図３６】
2015080304.tif 000038
【図３７】
2015080304.tif 000039
【図３８】
2015080304.tif 000040
【図３９】
2015080304.tif 000041
【図４０】
2015080304.tif 000042
【図４１】
2015080304.tif 000043
【図４２】
2015080304.tif 000044